(57)【要約】【課題】取鍋等の容器の内部を加熱する際に、加熱効率の向上、設備コストの大幅低減及び作業環境改善を図ることを目的とする。【解決手段】燃焼機１の先端部１ａの周囲に取り付けられているプレート２をプレート２に設けられているガイド２ａが容器３内に入るように容器３の開放部分を覆い、燃焼ガスを放出するために空気を供給し、燃焼機１の先端部１ａに供給される燃料を着火し、ガイド３ａに沿って、燃焼機１の先端部１ａからの火炎８により生じる燃焼ガスを空気によって移動させ、容器３の底面に到達した燃焼ガスが底面を加熱するとともに、容器３の内側壁部３ｄをも加熱し、排気出口３ｂより排出する容器の加熱装置及び加熱方法を提供する。【選択図】  図１
2004160523.tif 000002
【特許請求の範囲】
【請求項１】
容器内に燃焼ガスを送出するためにその燃焼ガスを放出するための先端部と、
前記先端部で燃料を燃焼させ前記燃焼ガスを放出するために空気を供給するとともに、前記燃焼ガスを空気によって移動させるために前記燃焼機の前記先端部へ空気の供給を行うための送風手段と、
前記先端部へ供給される前記燃料を供給したり、或いは遮断したりするための調整手段と、
前記先端部に供給される前記燃料を着火するための点火手段と、
前記送風機による前記先端部への空気の供給が行われているか検出するとともに、前記燃焼ガスを前記容器内へ送出するために前記先端部の着火を検出するための監視手段と、
前記先端部へ前記燃料を供給したり、或いは遮断したりすることを制御するとともに、前記燃料の燃焼に必要な空気量を制御するための制御手段と、を備える燃焼機と、
前記燃焼機の前記先端部の周囲に取り付けられ、前記容器の開放部分を覆い、前記燃焼機の前記先端部の位置決めを行うためのプレートと、を具備することを特徴とする容器の加熱装置。
【請求項２】
前記プレートには前記燃焼機の前記先端部が組み込まれる周囲の部分を囲んで延びるガイドが設けられていることを特徴とする請求項１に記載の容器の加熱装置。
【請求項３】
前記容器のいずれかの部位には前記燃焼ガスを前記容器から排出するための排気出口が設けられていることを特徴とする請求項１又は２に記載の容器の加熱装置。
【請求項４】
前記プレートには前記容器内の前記燃焼ガスを排出するための排気出口が設けられていることを特徴とする請求項１又は２に記載の容器の加熱装置。
【請求項５】
前記燃焼機内の前記送風手段と前記制御手段とをダクトを介して前記燃焼機の前記先端部と接続することを特徴とする請求項１乃至４のいずれかに記載の容器の加熱装置。
【請求項６】
前記燃焼機の前記先端部の周囲に取り付けられている前記プレートを前記燃焼機の前記先端部が組み込まれる周囲の部分を囲んで延びる前記ガイドが前記容器内に入るように前記容器の開放部分を覆う工程と、
前記燃焼機の前記先端部で前記燃料を燃焼させ前記燃焼ガスを放出するために空気を供給し、前記燃焼機の前記先端部に供給される前記燃料を着火する工程と、
前記燃焼機の前記先端部が組み込まれる周囲の部分を囲んで延びる前記ガイドに沿って、前記燃焼機の前記先端部からの火炎により生じる前記燃焼ガスを空気によって移動させる工程と、
前記容器の底面に到達した燃焼ガスが前記容器の底面を加熱するとともに、前記容器の側面をも加熱し、前記排気出口より排出する工程と、を備えることを特徴とする容器の加熱方法。
【発明の詳細な説明】
【０００１】
【発明が属する技術分野】
本発明は、パッケージ化された燃焼機（バーナ）の燃焼熱を取鍋等の容器の加熱に使用することにより、高炉等で溶解した金属を一時的に受けるための取鍋等の容器の加熱装置及び加熱方法に関する。
【０００２】
【従来の技術】
図８に示す取鍋等の容器１００は、一般的に、高炉等から取り出された溶銑等を転炉へ移動するための運搬や、転炉等から取り出された溶鋼を鋳造設備の造塊用の鋳型等へ運搬するのに使用されている。そのため、取鍋等の容器１００では高温であるその溶解した金属により熱歪みを起こさせないように、その溶解した金属を入れる前に、その金属の溶解温度まで取鍋等の容器１００の内部を加熱して温度を上げておく必要がある。
【０００３】
そして、取鍋等の容器の内部を予め加熱する技術に関連する技術としては、図９において、逆円錐台形の容器４００内に隔壁４１０をはめ込み、一本のバーナ４２０で第二室４００ｂの底部だけを加熱して熱伝導で第一室４００ａの温度を高める構成が開示されている（特許文献１参照）。
【０００４】
【特許文献１】
特開平１１−７５８号公報（段落番号０００９（作用）の記載、図４）
【０００５】
【発明が解決しようとする課題】
しかしながら、図９に示す構成では、取鍋等の容器４００が逆円錐台形である必要があり、特殊な用途に用いる取鍋等の容器４００にしか適用することができない。また、取鍋等の容器４００に隔壁４１０をはめ込まなければならず、取鍋等の容器を予め加熱する工程を煩雑にする可能性がある。
【０００６】
また、従来では、一般に大きさが直径１ｍ、深さ１ｍ程度の取鍋等の容器１００を加熱する場合には、図８に示すように、一本のパイプ状のバーナの先端よりガスを流出させて種火により着火して、一本のパイプ状のバーナ先端部２００を取鍋等の容器１００内に案内し、そのパイプ状のバーナ先端部２００より燃料を噴出することで、そのバーナ先端部２００より火炎３００を形成し取鍋等の容器１００内を加熱していた。このように取鍋等の容器１００の内部を加熱して温度を上げるためには、このようないわゆる拡散火炎による加熱が主流であった。この場合、ガス噴流エネルギーにより空気を巻き込み燃焼するので、取鍋等の容器１００の内部加熱において取鍋等の容器１００を蓋（プレート）で密閉することが不可能であった。
【０００７】
そして、燃料を燃焼するための空気はバーナ先端部２００での燃焼速度によりバーナ内へ一部吸引したり、バーナ先端部２００からの火炎の拡散に使用したりしている。そのため燃焼状態により通常得られる１６００℃の高温燃焼温度が得られず、おおよそ１０００℃程度の温度しか得られない。従って、最高温度として必要とされる到達温度も低くならざるを得ない。また、従来では取鍋等の容器１００の蓋（プレート）をせずに取鍋等の容器１００の内部の加熱を行っていたので、取鍋等の容器１００の開放部分１００ａから空気が自由に出入りできたため、取鍋等の容器１００内の温度が均一になるまで長い時間が必要とされていた。
【０００８】
また、燃料を燃焼させるためには、開放部分１００ａからの空気の出入りが原理的に必要になるが、取鍋等の容器１００に蓋（プレート）をせずにパイプ状のバーナ先端部２００を直接に取鍋等の容器１００内へ入れているので蓋をしない開放部分１００ａが大きく、開放部分１００ａからのエネルギー損失が大きくなり、燃料使用量も増えざるを得ない。さらに、開放部分１００ａからの放熱（熱損失）があり、取鍋等の容器１００の周囲温度の上昇を招き、作業環境温度が常温をはるかに超えることになり作業者の健康管理が難しくなる。
【０００９】
本発明は、上記の事情に鑑みなされたものであり、パッケージ化された燃焼機（バーナ）を用い、取鍋等の容器を蓋で覆うことで取鍋等の容器内部を加熱し、加熱効率の向上、設備コストの大幅低減及び作業環境改善を向上させる容器の加熱装置及び加熱方法を提供することを目的とする。
【００１０】
【課題を解決するための手段】
上記の目的を達成するために、請求項１に記載の発明は、容器内に燃焼ガスを送出するためにその燃焼ガスを放出するための先端部と、前記先端部で燃料を燃焼させ前記燃焼ガスを放出するために空気を供給するとともに、前記燃焼ガスを空気によって移動させるために前記燃焼機の前記先端部へ空気の供給を行うための送風手段と、前記先端部へ供給される前記燃料を供給したり、或いは遮断したりするための調整手段と、前記先端部に供給される前記燃料を着火するための点火手段と、前記送風機による前記先端部への空気の供給が行われているか検出するとともに、前記燃焼ガスを前記容器内へ送出するために前記先端部の着火を検出するための監視手段と、前記先端部へ前記燃料を供給したり、或いは遮断したりすることを制御するとともに、前記燃料の燃焼に必要な空気量を制御するための制御手段と、を備える燃焼機と、前記燃焼機の前記先端部の周囲に取り付けられ、前記容器の開放部分を覆い、前記燃焼機の前記先端部の位置決めを行うためのプレートと、を具備することを特徴とする。
【００１１】
従って、請求項１に記載の発明によれば、燃焼機内に、燃焼ガスを送出するための先端部、送風手段である送風機、燃料の調整手段である電磁遮断弁と、点火手段である点火トランス、バーナ１の安全性を確保するための監視手段である監視装置及びバーナ１を制御するための制御手段である制御装置を備え、パッケージ化されているので燃焼機からこれらのものを分離して設置する場合に比べ設備コストの低減を図ることが可能になるとともに、取鍋等の容器の開放部分を覆うためのプレートが設けられていることから、取鍋等の容器を加熱する際に熱損失を減らすことが可能になる。
【００１２】
また、請求項２に記載の発明は、請求項１に記載の構成に加え、前記プレートには前記燃焼機の前記先端部が組み込まれる周囲の部分を囲んで延びるガイドが設けられていることを特徴とする。
【００１３】
従って、請求項２に記載の発明によれば、燃焼機の先端部が組み込まれる周囲の部分を囲んで延びるガイドが設けられていることにより、燃焼機の先端部からの火炎より生じる燃焼ガスをガイドによって確保された方向へ移動することができ取鍋等の容器の底面まで導き、燃焼ガスを拡散させるショートパス現象を防止することが可能になる。
【００１４】
さらに、請求項３に記載の発明は、請求項１又は２に記載の構成に加え、前記容器のいずれかの部位には前記燃焼ガスを前記容器から排出するための排気出口が設けられていることを特徴とする。
【００１５】
従って、請求項３に記載の発明によれば、取鍋等の容器のいずれかの部位には燃焼ガスをその取鍋等の容器から排出するための排気出口が設けられているため、取鍋等の容器の底面まで導かれた燃焼ガスが内側壁部に伝わり、その内側壁部を熱した後に取鍋等の容器の外へ排出することが可能になる。
【００１６】
また、請求項４に記載の発明は、請求項１又は２に記載の構成に加え、前記プレートには前記容器内の前記燃焼ガスを排出するための排気出口が設けられていることを特徴とする。
【００１７】
従って、請求項４に記載の発明によれば、取鍋等の容器に限定することなく、プレートに取鍋等の容器内の燃焼ガスを排出するための排気出口を設けることにより、取鍋等の容器の底面まで導かれた燃焼ガスが内側壁部に伝わり、その内側壁部を熱した後に取鍋等の容器の外へ排出することが可能になる。
【００１８】
さらに、請求項５に記載の発明は、請求項１乃至４のいずれかに記載の構成に加え、前記燃焼機内の前記送風手段と前記制御手段とをダクトを介して前記燃焼機の前記先端部と接続することを特徴とする。
【００１９】
従って、請求項５に記載の発明によれば、燃焼機内の送風手段と制御手段とをダクトを介して燃焼機の先端部と接続しているため、取鍋等の容器と燃焼機とが離れた場所に設置しなければならない場合であっても、取鍋等の容器へ燃焼ガスを送ることが可能になる。
【００２０】
また、請求項６に記載の発明は、前記燃焼機の前記先端部の周囲に取り付けられている前記プレートを前記燃焼機の前記先端部が組み込まれる周囲の部分を囲んで延びる前記ガイドが前記容器内に入るように前記容器の開放部分を覆う工程と、前記燃焼機の前記先端部で前記燃料を燃焼させ前記燃焼ガスを放出するために空気を供給し、前記燃焼機の前記先端部に供給される前記燃料を着火する工程と、前記燃焼機の前記先端部が組み込まれる周囲の部分を囲んで延びる前記ガイドに沿って、前記燃焼機の前記先端部からの火炎により生じる前記燃焼ガスを空気によって移動させる工程と、前記容器の底面に到達した燃焼ガスが前記容器の底面を加熱するとともに、前記容器の側面をも加熱し、前記排気出口より排出する工程と、を備えることを特徴とする。
【００２１】
従って、請求項６に記載の発明によれば、燃焼機の先端部の周囲に取り付けられているプレートを燃焼機の先端部が組み込まれる周囲の部分を囲んで延びるガイドが取鍋等の容器内に入るように取鍋等の容器の開放部分を覆い、燃焼機の先端部で燃料を燃焼させ燃焼ガスを放出するために空気を供給し、燃焼機の先端部に供給される燃料を着火し、燃焼機の先端部が組み込まれる周囲の部分を囲んで延びるガイドに沿って、燃焼機の先端部からの火炎により生じる燃焼ガスを空気によって移動し、取鍋等の容器の底面に到達した燃焼ガスが底面を加熱するとともに、取鍋等の容器の側面である内側壁部をも加熱し、排気出口より排出しているので、取鍋の容器の開放部分からの放熱をなくすことが可能になるとともに、燃焼ガスの流れが直接に、排気出口方向へ進んでしまうショートパス現象を防止可能にし、短時間で取鍋等の容器を高温に加熱することが可能になる。
【００２２】
【発明の実施の形態】
以下、本発明の実施の形態について図面を参照して説明する。
【００２３】
（例１）
図１及び図２には、本発明である例１による取鍋等の容器３を加熱するための加熱装置５が示してある。燃焼機であるバーナ１は、燃焼ガスを取鍋等の容器３へ送出するための単一の先端部であるバーナ先端部１ａ、送風手段である送風機、燃料の調整手段である電磁遮断弁と、点火手段である点火トランス、バーナ１の安全性を確保するための監視手段である監視装置及びバーナ１を制御するための制御手段である制御装置を備えている。バーナ１の先端部以外の装置はバーナ１に組み込まれてパッケージ化しており図面上では示していない。
【００２４】
送風機では、バーナ１の端部に設けられたバーナ先端部１ａで燃料を燃焼させ燃焼ガスを放出するために空気を供給するとともに、燃焼ガスを空気によって取鍋等の容器３内を移動させるためにバーナ先端部１ａへの空気の供給を行うことになる。また、電磁遮断弁は、バーナ先端部１ａへ供給される燃料を供給したり、遮断したりするための調整を行うことになる。点火トランスはバーナ先端部１ａへ供給される燃料を着火するための点火を行うことになる。監視装置では、送風機によるバーナ先端部１ａへの空気の供給が行われているか検出するとともに、燃焼ガスを容器内へ送出するためにバーナ先端部１ａの着火を検出するための監視を行うことになる。さらに、制御装置では、バーナ先端部１ａへ燃料を供給したり、或いは遮断したりすることを制御するとともに、燃料の燃焼に必要な空気量を制御することになる。また、バーナ先端部１ａには燃料と燃料を燃焼するための空気が送られ、バーナ先端部１ａより燃料ガスを燃焼する火炎８が放出されることになる。
【００２５】
そして、バーナ先端部１ａの周囲にはプレートであるバーナ取付プレート２が取り付けられており、このバーナ取付プレート２の大きさは取鍋等の容器３の開放部分である開口部３ａを覆うことができる大きさになっている。また、バーナ取付プレート２内でバーナ先端部１ａが組み込まれる部分を囲んで延びるガイド２ａが設けられている。バーナ取付プレート２で覆う取鍋等の容器３の開口部３ａは湯投入口として溶解した金属を注入することができる所定の大きさになっている。この取鍋等の容器３のいずれかの部位である側面には燃焼（排気）ガスを排出するための排気出口３ｂが設けられており、この排気出口３ｂは湯取出口としての機能も果たしている。
【００２６】
図２に示すように、バーナ１及びバーナ取付プレート２を取鍋等の容器３の開放部分である開口部３ａを覆うように取り付けるとガイド２ａが取鍋等の容器３の底面３ｃ近くまで延びることになる。そして、取鍋等の容器３はバーナ取付プレート２を取り付けることで密閉状態になる。この状態で以上説明した取鍋等の容器を加熱するための加熱装置５の動作について、図３を用いて説明する。まず、バーナ１を作動させると、バーナ１よりバーナ先端部１ａへ燃料が供給される。このとき、供給ガス圧力が正常であることを確認して（ステップＳ０）、運転スイッチの運転信号を「ＯＮ」する（ステップＳ１）。送風機よりバーナ先端部１ａへ必要な空気が送られる（送風約３５秒）（ステップＳ２）。つぎに、監視装置により送風機の圧力が正常か否か判断される（ステップＳ３）。
【００２７】
送風機の圧力が正常でないと判断されると、ロックアウトになり（ステップＳ１０）、送風機の圧力が正常ではない原因の究明を行いその原因の確定し、原因の除去を行う（ステップＳ１１）。そして、手動リセットのスイッチを押し（ステップＳ１２）、再度運転スイッチの運転信号を「ＯＮ」する（ステップＳ１）。
【００２８】
送風機の圧力が正常であると判断されると、制御装置により、点火トランスを作動し、燃料の供給を調整するために電磁遮断弁を作動するように制御される（ステップＳ４）。そして、バーナ先端部１ａへの着火が行われる（ステップＳ５）。そして、火炎８検出が正常か否か判断される（ステップＳ６）。
【００２９】
火炎８検出が正常でないと判断されると、着火は不着火となり（ステップＳ９）、ロックアウトになり（ステップＳ１０）、火炎８検出が正常ではない原因の究明を行いその原因の確定し、原因の除去を行う（ステップＳ１１）。そして、手動リセットのスイッチを押し（ステップＳ１２）、再度運転スイッチの運転信号を「ＯＮ」する（ステップＳ１）。
【００３０】
火炎８検出が正常であると判断されると、バーナ先端部１ａでは供給される燃料を火炎８により燃焼し、燃焼ガスを発生させる（ステップＳ７）。また、制御装置及び送風機によりバーナ先端部１ａからの火炎８がガイド２ａに沿って取鍋等の容器３の所定の深さまで送られる。それに伴い、バーナ先端部１ａからの火炎８により生じる燃焼ガスがガイド２ａによって確保された方向へ移動し、その燃焼ガスが取鍋等の容器３の底面３ｃを加熱する。このとき、バーナ先端部１ａからの火炎８はガイド２ａに沿うため、バーナ先端部１ａの火炎８から生じる燃焼ガスが拡散することなく、確実に底面３ｃに到達する。そして、ガイド２ａに沿う火炎８からの燃焼ガスはガイド２ａに対向する底面３ｃの部分を加熱する。
【００３１】
底面３ｃにおけるガイド２ａに対向する部分が加熱されることによりその部分の温度が上昇する。所定の時間その部分が燃焼ガスにより加熱されることにより熱が底面３ｃ全体に広がる。その結果、底面３ｃ全体の温度が上昇し、底面３ｃ全体が高温燃焼温度（一般的には約１６００℃）に到達する。さらに、バーナ先端部１ａの火炎８から生じる燃焼ガスによる加熱が続くことにより、燃焼ガスは底面３ｃから側面である内側壁部３ｄに伝わっていく。それと同時に、燃焼ガスによる熱も底面３ｃから内側壁部３ｄに伝わっていく（図２中の点線の矢印方向）。そして、さらに加熱が続くことにより内側壁部３ｄも底面３ｃと同様に高温燃焼温度（一般的には約１６００℃）に到達する。このとき、底面３ｃから内側壁部３ｄに伝わってきた燃焼ガスは排気出口３ｂから排気される（図２中の実線の矢印方向）。そして、加熱装置５の運転スイッチの運転信号を「ＯＦＦ」にする（ステップＳ８）。
【００３２】
（例２）
図４には、本発明である例２による取鍋等の容器３を加熱するための加熱装置１５が示してある。基本的な構成は例１に示す実施の形態と同じであり、例１と同一の部材には例１と同一の参照符号を付してある。例２の構成としては、バーナ本体（送風機及び制御装置）１０がバーナ先端部１０ａと離れて設置してあるということである。そのため、バーナ本体（送風機及び制御装置）１０とバーナ先端部１０ａとの間にダクト１０ｃを設けてバーナ本体（送風機及び制御装置）１０とバーナ先端部１０ａとの接続を図っている。
【００３３】
具体的には、図４及び図５に示すように、バーナ本体１０である送風機及び制御装置にダクト１０ｃの一端が接続してあり、ダクト１０ｃの他端にはＴ型ダクト１０ｄが接続してある。Ｔ型ダクト１０ｄには燃料ガスを受けるための燃料受容部１０ｅが設けられており、その燃料受容部１０ｅは燃料ガスの供給を遮断するための電磁遮断弁１０ｂにつながっている。燃料受容部１０ｅにはバーナ先端部１０ａが取り付けられており、本実施の形態では、バーナ先端部１０ａはバーナ取付プレート２内の略中央部に設けられた孔に入り込んでいる。
【００３４】
他の構成であるバーナ取付プレート２にバーナ先端部１０ａが組み込まれる部分を囲んで延びるガイド２ａが設けられている、ということや取鍋等の容器３の側面には燃焼（排気）ガス排出するための排気出口３ｂが設けられているということは例１の構成と同じである。そして、図５に示す組立状態でこの取鍋等の容器３を加熱するための加熱装置１５を動作させるために、取鍋等の容器３の開口部３ａをプレート（バーナ取付プレート２）で蓋をし、底部３ｃ及び内側壁部３ｄを燃焼ガスにより加熱することで、結果的に例１と同様に、短時間で取鍋等の容器３を高温に到達させることができる。
【００３５】
なお、本実施の形態である例１、例２では、排気出口３ｂが取鍋等の容器３の側面に設けられているが、図６に示すように、プレートであるバーナ取付プレート２に取鍋等の容器３内の燃焼ガスを排出するための排気出口を設けることも可能である。図６（ａ）の加熱装置２５では、バーナ取付プレート２の上面に排気出口２ｂを設けた構成が示してあり、ガイド２ａからの燃焼ガスが点線で示すように、取鍋等の容器３の底面３ｃから内側壁部３ｄに伝わり、バーナ取付プレート２に到達し、バーナ取付プレート２内を通過して、バーナ取付プレート２の上面に設けられた排気出口２ｂに至ることになる。
【００３６】
また、図６（ｂ）の加熱装置２６では、バーナ取付プレート２の側面に排気出口２ｂを設けた構成が示してあり、図６（ａ）と同様にガイド２ａからの燃焼ガスが取鍋等の容器３の底面３ｃから内側壁部３ｄに伝わり、バーナ取付プレート２に到達し、バーナ取付プレート２内を通過して、バーナ取付プレート２の側面に設けられた排気出口２ｂに至ることになる。このように、バーナ取付プレート２のいずれの部分に排気出口２ｂを設けても取鍋等の容器３より確実に燃焼ガスを排出することが可能である。
【００３７】
【発明の効果】
本発明によれば、取鍋等の容器に単一のバーナ（燃焼機）を取り付けたプレート（バーナ取付プレート）で蓋をして取鍋等の容器を加熱することになるため、バーナによる燃焼ガスが拡散しなくなり加熱効率を向上させることができる。また、送風機によりバーナ先端部からの火炎から生じる燃焼ガスの移動方向を、ガイドを経ることで取鍋等の容器の底面方向へと決定することができ、燃焼ガスの拡散による燃焼ガスが底面に到達せずに直接に、排気出口の方向へ進む、いわゆるショートパス現象を防ぐことができる。さらに、燃焼ガスが直接に取鍋等の容器の底面の部分へ到達することになるため、底面の部分が十分に加熱され、結果的に取鍋等の容器全体を短時間で加熱し高温（高温燃焼温度）に導くことができる。
【００３８】
具体的に、本発明による蓋付き取鍋予熱方法と従来の開放式取鍋加熱方法とを用いた場合の加熱時間毎による取鍋等の容器の温度（炉内温度）を図７に示してある。図７からも明らかなように本発明による蓋付き取鍋予熱方法の方が従来の開放式取鍋加熱方法よりも加熱時間に対する炉内温度の上昇が早いことが分かる。
【００３９】
また、取鍋等の容器の蓋となるプレートであるバーナ取付プレートに取り付けたバーナ（燃焼機）は送風機、電磁遮断弁、監視装置及び制御装置を備えてパッケージ化されており、バーナ（燃焼機）と分離して送風機等を設置する場合に比べ設備コストの低減を図ることができる。さらに、取鍋等の容器にバーナ取付プレートを取り付け蓋をしているため、開放部分からの放熱（熱損失）がなく、周囲の温度上昇がない。そのため、作業環境の温度に変動がなくなり作業環境の良好さを保つことができ、作業者の健康管理が維持し易くなる。
【図面の簡単な説明】
【図１】本発明である例１による容器の加熱装置を容器へ取り付ける状態を示す断面図である。
【図２】本発明である例１による容器の加熱装置を容器へ取り付けた状態を示す断面図である。
【図３】本発明である容器の加熱装置におけるバーナの作動状態を示す流れ図である。
【図４】本発明である例２による容器の加熱装置を容器へ取り付ける状態を示す断面図である。
【図５】本発明である例２による容器の加熱装置を容器へ取り付けた状態を示す断面図である。
【図６】蓋に排気出口を設けた本発明である容器の加熱装置の断面図である。
（ａ）は蓋の上面に排気出口を設けた容器の加熱装置の断面図である。
（ｂ）は蓋の側面に排気出口を設けた容器の加熱装置の断面図である。
【図７】本発明である蓋付き取鍋予熱方法と従来の開放式取鍋加熱方法とを用いて取鍋等の容器を加熱して温度を比較した場合のグラフ図である。
【図８】従来の開放式の取鍋等の容器の加熱方法を示す説明図である。
【図９】従来の逆円錐台形の取鍋等の容器の加熱方法を示す説明図である。
【符号の説明】
１…バーナ、１ａ…バーナ先端部、２…バーナ取付プレート、２ａ…ガイド、３…取鍋等の容器、３ａ…開口部、３ｂ…排気出口、５、１５、２５、２６…加熱装置、８…火炎、
【図１】
2004160523.tif 000003
【図２】
2004160523.tif 000004
【図３】
2004160523.tif 000005
【図４】
2004160523.tif 000006
【図５】
2004160523.tif 000007
【図６】
2004160523.tif 000008
【図７】
2004160523.tif 000009
【図８】
2004160523.tif 000010
【図９】
2004160523.tif 000011